(57)【要約】  【課題】季節や天候、対象物の素材等に影響を受けず、室内の対象物の表面に均質で強固なリン酸チタニウム系化合物の被膜を形成することができ、室内の浮遊菌や有害菌を軽減するとともに臭気を分解し、さらにカビや雑菌の発生を長期間防ぐことができ、アトピー，アレルギー，花粉症，喘息の予防、ペット臭やタバコ臭の消臭、湿気や結露によるカビの軽減、医療施設や教育施設等における感染予防、タバコのヤニの付着防止等の効果を長期間持続することができ、さらに短時間で室内の全てに被膜を形成することができ作業性に優れる室内の抗菌消臭方法を提供することを目的とする。  【解決手段】本発明は、密閉された室内にリン酸チタニウム系化合物又はその縮合体を有効成分とするリン酸チタニウム液と希釈剤とが混合された薬液を噴霧する薬液噴霧工程を備える。  【選択図】なし【特許請求の範囲】
【請求項１】
密閉された室内にリン酸チタニウム系化合物又はその縮合体を有効成分とするリン酸チタニウム液と希釈剤とが混合された薬液を噴霧する薬液噴霧工程を備えていることを特徴とする室内の抗菌消臭方法。
【請求項２】
前記薬液噴霧工程において、前記リン酸チタニウム液及び前記希釈剤が各々噴霧され前記室内で混合されていることを特徴とする請求項１に記載の室内の抗菌消臭方法。
【請求項３】
前記薬液噴霧工程の以前に、前記室内に水を噴霧し前記室内を加湿する室内加湿工程を備えていることを特徴とする請求項１又は２に記載の室内の抗菌消臭方法。
【請求項４】
前記室内加湿工程で加湿された、又は、前記薬液噴霧工程で前記薬液が噴霧された前記室内の相対湿度が６５〜９５％であることを特徴とする請求項１乃至３の内いずれか１に記載の室内の抗菌消臭方法。
【請求項５】
前記室内加湿工程で噴霧される前記水及び／又は前記希釈剤に、アルコール類及び／又はカテキン類が溶解されていることを特徴とする請求項１乃至４の内いずれか１に記載の室内の抗菌消臭方法。
【請求項６】
前記室内に設置された空調装置の吹出口及び／又は吸込口に、前記室内加湿工程又は前記薬液噴霧工程の以前に、殺菌剤を導入して殺菌処理する空調装置内殺菌処理工程と、前記薬液噴霧工程の後に前記薬液が噴霧された前記室内を前記空調装置を稼働させて乾燥させる乾燥処理工程と、を備えていることを特徴とする請求項１乃至５の内いずれか１に記載の室内の抗菌消臭方法。
【請求項７】
リン酸チタニウム系化合物又はその縮合体と、カテキン類と、を含有していることを特徴とする薬液。
【請求項８】
二酸化塩素を含有していることを特徴とする請求項７に記載の薬液。
【発明の詳細な説明】
【技術分野】
【０００１】
本発明は、抗菌作用や消臭作用を有するリン酸チタニウム系化合物を用いた室内の抗菌消臭方法及びそれに適した薬液に関するものである。
【背景技術】
【０００２】
従来より、室内に繁殖するカビや雑菌等を殺菌したり、悪臭の成分であるアンモニア，アセトアルデヒド，硫化水素，メチルメルカプタン，トリメチルアミン，スカトール等を分解したり、防カビ剤や防ダニ剤等の化学物質で処理された畳やじゅうたん，建材等から室内に放出されシックハウス症候群の原因とされるホルムアルデヒド，トルエン，キシレン，エチルベンゼン，スチレン等を分解して室内環境を快適にするため、種々の抗菌消臭方法が開発されている。
従来の技術としては、（特許文献１）に「オゾンを水に溶解させたオゾン水を空気とともに殺菌対象空間に噴霧することにより、オゾンを長期間に渡って分解し続けオゾンの殺菌効果を長期間持続可能にしたオゾンによる殺菌方法」が開示されている。
（特許文献２）には、「平均粒子径０．２μｍ以下の二酸化チタンが０．１〜２０重量％配合された防菌・防カビ・防臭・汚れ分解用噴霧剤」が開示されている。
また、触媒作用を有するリン酸チタニウム系化合物を利用して室内を消臭する技術として、（特許文献３）に、「表面にリン酸チタニアがコーティングされた消臭機能を有する観賞用人工植物」が開示されている。
【特許文献１】特開平４−１５０６０号公報
【特許文献２】特開平８−１６５２１５号公報
【特許文献３】特開２００３−２４７１１３号公報
【発明の開示】
【発明が解決しようとする課題】
【０００３】
しかしながら上記従来の技術においては、以下のような課題を有していた。
（１）（特許文献１）に開示の技術は、噴霧されたオゾンがカビや雑菌、化学物質等の有機物を分解し優れた抗菌及び消臭効果を発揮するが、オゾンが分解した後は抗菌及び消臭効果が得られず持続性に欠けるという課題を有していた。
（２）（特許文献２）に開示の技術は、二酸化チタンの光触媒作用を利用して有機物を分解し抗菌・消臭効果を発現するものなので、噴霧剤を噴霧して対象物に二酸化チタンの被膜を形成し、この被膜に二酸化チタンのバンドギャップ以上のエネルギーをもつ光が照射されると、抗菌・消臭効果を長期間発現させることができる。しかしながら、住居・ホテル等の室内空間や、窓が少なく薄暗い倉庫室や運搬車等では、二酸化チタンの被膜を壁や床等に形成したとしても、部屋の隅々まで強い光が差し込み難いので十分な光触媒作用が得られず、抗菌性や消臭性に欠けるという課題を有していた。
（３）対象物に二酸化チタンの被膜を形成するために、噴霧剤には二酸化チタン粒子を対象物に結着させるシリコーン樹脂等のバインダーが配合されているが、このバインダーが二酸化チタン粒子の表面も覆ってしまい触媒性能が低下するという課題を有していた。
（４）二酸化チタン粒子と対象物とを結着するバインダーが、二酸化チタンの光触媒作用によって分解され劣化し易いので、被膜が対象物から剥離し易いという課題を有していた。
（５）（特許文献３）に開示の技術では、リン酸チタニアに空気中の酸素と水とが接触することでＯＨラジカル等の活性酸素が生成されると考えられており、暗所でも観賞用人工植物に接触した空気中の臭気成分の分解除去による消臭作用が得られる。しかしながら、室内の全ての対象物にリン酸チタニア膜を形成するものではないため、対象物に繁殖するカビや雑菌等を殺菌することができないという課題を有していた。また、観賞用人工植物が安置された周辺だけしか消臭作用が得られず局所的であり、室内の消臭に長時間を要するという課題を有していた。
【０００４】
本発明は上記従来の課題を解決するもので、季節や天候、対象物の素材等に影響を受けず、室内の対象物の表面に均質で強固なリン酸チタニウム系化合物の被膜を形成することができ、室内の浮遊菌や有害菌を軽減するとともに臭気を分解し、さらにカビや雑菌の発生を長期間防ぐことができ、アトピー，アレルギー，花粉症，喘息の予防、ペット臭やタバコ臭の消臭、湿気や結露によるカビの軽減、医療施設や教育施設等における感染予防、タバコのヤニの付着防止等の効果を長期間持続することができ、さらに短時間で室内の全てに被膜を形成することができ作業性に優れる室内の抗菌消臭方法を提供することを目的とする。
また、本発明は、人体に影響を及ぼさずに室内の浮遊菌や有害菌を軽減するとともに臭気を分解し、さらにカビや雑菌の発生を長期間防ぐことができ、アトピー，アレルギー，花粉症，喘息の予防、ペット臭やタバコ臭の消臭、湿気や結露によるカビの軽減、医療施設や教育施設等における感染予防、タバコのヤニの付着防止等の効果を長期間持続することができ適用範囲が広く汎用性に優れた室内の抗菌消臭方法に適した薬液を提供することを目的とする。
【課題を解決するための手段】
【０００５】
上記従来の課題を解決するために本発明の室内の抗菌消臭方法及び薬液は、以下の構成を有している。
本発明の請求項１に記載の室内の抗菌消臭方法は、密閉された室内にリン酸チタニウム系化合物又はその縮合体を有効成分とするリン酸チタニウム液と希釈剤とが混合された薬液を噴霧する薬液噴霧工程を備えた構成を有している。
この構成により、以下のような作用が得られる。
（１）密閉された室内にリン酸チタニウム液と希釈剤とが混合された薬液を噴霧するので、霧状のリン酸チタニウム液が室内の隅々まで行き渡り、短時間で室内の壁，天井，床，畳，じゅうたん，窓，家具等の全ての対象物に被膜を形成することができ作業性に優れる。
（２）リン酸チタニウム系化合物やその縮合体は、人体に影響を及ぼさずに生活環境に存在する大腸菌，ブドウ球菌，サルモネラ菌等の有害菌を分解することができるので、台所，食堂，食品工場等の抗菌や消臭も行うことができ適用範囲が広く汎用性に優れる。
（３）薬液に希釈剤が混合されているので、リン酸チタニウム液の塗布量が少なくても薬液を増量して、水に可溶なリン酸チタニウム系化合物を対象物に確実に付着させることができ、対象物の表面に均質で強固なリン酸チタニウム系化合物の被膜を形成することができ、抗菌作用と消臭作用を長期間持続させることができる。
【０００６】
ここで、本発明が適用される室内としては、住居の居間，応接室，洗面所，台所，トイレ，浴室等の居住空間、納戸，物置，倉庫，貨物コンテナ等の保管施設や保管設備、ホテルや旅館等の客室，ロビー等の宿泊施設、サウナ，脱衣所，ロッカールーム等の浴場施設、事務所,工場等の事業所、病院等の医療施設や福祉施設、学校，幼稚園，保育園等の教育施設、食堂，レストラン等の飲食施設、電車，バス，自動車，航空機，船舶，貨物列車等の移動空間（車内や客室内、貨物室内等）等が用いられる。
【０００７】
リン酸チタニウム液としては、リン酸チタニウム系化合物又はその縮合体を有効成分とするものが用いられる。
リン酸チタニウム系化合物は、一般式がＴｉ（ＯＨ）ｘ（ＰＯ４）ｙ（ＨＰＯ４）ｚ（Ｈ２ＰＯ４）ｍ（ＯＲ）ｎ（但し、Ｒは炭素数１〜４のアルキル基、ｘは０〜４の整数、ｙは０又は１、ｚは０〜２の整数、ｍは０〜４の整数、ｎは０〜４の整数であり、ｘ＋３ｙ＋２ｚ＋ｍ＋ｎ＝４を満たす。）で表されるものであり、例えば、Ｔｉ（ＯＨ）（Ｈ２ＰＯ４）２（ＯＲ）、Ｔｉ（ＯＨ）（ＰＯ４）、Ｔｉ（ＯＨ）２（Ｈ２ＰＯ４）（ＯＲ）、Ｔｉ（ＯＨ）（ＨＰＯ４）（ＯＲ）、Ｔｉ（ＯＨ）（ＨＰＯ４）、Ｔｉ（ＯＨ）２（Ｈ２ＰＯ４）２、Ｔｉ（ＯＨ）３（Ｈ２ＰＯ４）、Ｔｉ（ＯＨ）３（ＯＲ）等が用いられる。
リン酸チタニウム系化合物又はその縮合体は、例えば、以下の製造方法によって得られる。即ち、初めに、四塩化チタンを水若しくはアルコール、又はそれらの混合溶液と反応させる。アルコールとしては炭素数１〜４のメタノール，エタノール，イソプロピルアルコール等を用いることができる。次に、得られた反応溶液をリン酸と反応させることにより、リン酸チタニウム系化合物を得ることができる。得られた反応生成物は、水やアルコール、アルコールと水の混合溶媒で希釈して、溶液の状態又は分散液の状態のリン酸チタニウム液を得ることができる。
【０００８】
リン酸チタニウム系化合物又はその縮合体を有効成分とするリン酸チタニウム液に、ケイ酸ナトリウム系化合物、ケイ酸チタニウム系化合物、ホウ酸チタニウム系化合物等を添加したものを用いることもできる。これらを添加することにより、消臭作用を高めたり、固形物が析出するのを防止し噴霧器のノズルを目詰まりし難くすることができる。
【０００９】
希釈剤としては、水道水，精製水，イオン交換水，蒸留水，電解水等の水、エタノールやイソプロピルアルコール等のアルコール、アルコールと水との混合溶液が用いられる。リン酸チタニウム系化合物やその縮合体が可溶で、また雑菌が少ないからである。特に、水としては精製水，イオン交換水，蒸留水，電解水等が好適に用いられる。噴霧器のノズルに水中のカルシウム等が析出して目詰まりするのを防止するためである。
【００１０】
薬液には、リン酸チタニウム系化合物又はその重合体、希釈剤の他、カテキン類、香料、防腐剤、界面活性剤等を添加することができる。カテキン類によって抗菌性を高めることができ、香料によって室内に芳香を放ち快適性を高めることができ、防腐剤によって保存性を高めることができ、界面活性剤によって対象物への濡れ性を高めるとともにカテキン類等の乳化性を高めることができる。
【００１１】
薬液噴霧工程においてリン酸チタニウム液と希釈剤を室内に噴霧するのは、リン酸チタニウム液と希釈剤との混合液を種々の噴霧器を用いて噴霧するもの、リン酸チタニウム液と希釈剤とを別々に噴霧するもの等の種々の方法を用いることができる。
なお、リン酸チタニウム液と希釈剤との混合比は、薬液を噴霧する室内等に応じて、１：０．５〜１：２０の範囲で適宜選択することができる。
【００１２】
薬液を噴霧する室内の温度としては、５〜５０℃好ましくは２０〜４０℃が好適である。室内の温度が２０℃より低くなるにつれ噴霧されたリン酸チタニウム液の乾燥が遅いため液ダレ等が発生し被膜の厚さや濃度に斑が発生し易くなる傾向がみられ、４０℃より高くなるにつれ噴霧されたリン酸チタニウム液の乾燥が速くリン酸チタニウム系化合物が拡散し難くなり室内の対象物に均一な厚さの被膜を形成することが困難になる傾向がみられる。特に、５℃より低くなるか５０℃より高くなると、これらの傾向が著しくなるため、いずれも好ましくない。
【００１３】
薬液噴霧工程において、窓等は閉めて室内を密閉した状態で行う。作業の間、室内を高湿度に保つとともに、薬液が室内の外に飛散し無駄になるのを防止するためである。また、空調装置は停止した状態で行うのが好ましい。室内に気流が発生するのを防止して、希釈剤及びリン酸チタニウム液を室内に均一に噴霧するためである。
【００１４】
薬液噴霧工程における噴霧時間としては、自動車の室内の場合、５〜２５分間程度である。工場等のように広い室内を抗菌消臭処理する場合は、室内の広さに応じて、液粒子の飛行距離を考慮して室内に配置する噴霧器の台数や、噴霧時間を適宜選択することができる。
【００１５】
室内に薬液を噴霧した後、室内を乾燥させ対象物の表面を乾燥させると、リン酸チタニウム系化合物の被膜が対象物に形成され、これに空気中の酸素と水とが接触することでＯＨラジカル等の活性酸素が生成され、暗所でも対象物に接触した空気中の臭気成分の分解除去による消臭作用が得られ、さらに対象物に接触したカビや雑菌等を殺菌することができる。
【００１６】
本発明の請求項２に記載の発明は、請求項１に記載の室内の抗菌消臭方法であって、前記薬液噴霧工程において、前記リン酸チタニウム液及び前記希釈剤が各々噴霧され前記室内で混合された構成を有している。
この構成によって、請求項１で得られる作用に加え、以下のような作用が得られる。
（１）リン酸チタニウム液を希釈して放置すると固形物が析出して濁りが発生し易く、析出した固形物によって噴霧器のノズルが詰まることがあるが、リン酸チタニウム液と希釈剤とが各々噴霧され室内で混合されるので、リン酸チタニウム液を析出固形物の非析出濃度以上に保つことができ、固形物が析出し難く噴霧器のノズルが詰まることなく微細な液粒子を噴霧でき作業性に優れる。
【００１７】
ここで、薬液を室内に噴霧するのは、リン酸チタニウム液と希釈剤とを別々に噴霧する種々の噴霧器を用いることができるが、気化器と、気化器に希釈剤を圧送するポンプと、気化器の下流側と連通した第１ノズルと、第１ノズルの近傍に配設されリン酸チタニウム液を吸引する第２ノズルと、を備えた２流体噴霧方式の噴霧器が好適である。２流体噴霧方式の噴霧器は、気化器によって気化した希釈剤が第１ノズルから噴射されると、噴射された蒸気流によって第２ノズルからリン酸チタニウム液が吸引され霧化されてリン酸チタニウム液を希釈剤とともに噴霧するものであり、リン酸チタニウム液を析出固形物の非析出濃度以上に保つことができ、リン酸チタニウム液が吸引される第２ノズルが目詰まりし難く、さらにリン酸チタニウム液の液粒子を希釈剤の液粒子とともに、わずかな電力で遠方にまで噴霧することができ、工場等の広い空間を有する室内の抗菌消臭処理を数少ない噴霧器で行うことができ省エネルギー性に優れるからである。
また、噴霧器は、イオナイザを備えたものを用いることもできる。これにより、噴霧された液粒子に電荷を与え、壁や天井等の対象物への付着性を高めることができる。
【００１８】
本発明の請求項３に記載の発明は、請求項１又は２に記載の室内の抗菌消臭方法であって、前記薬液噴霧工程の以前に、前記室内に水を噴霧し前記室内を加湿する室内加湿工程を備えた構成を有している。
この構成によって、請求項１又は２で得られる作用に加え、以下のような作用が得られる。
（１）室内を加湿して、室内の壁，天井，床，畳，じゅうたん，窓，家具等の全ての対象物の表面を高湿の雰囲気に整えた後、室内にリン酸チタニウム液を噴霧するので、季節や天候、対象物の素材等に影響を受けず、リン酸チタニウム液の塗布量が少なくても、水に可溶なリン酸チタニウム系化合物を対象物に確実に付着させることができ、対象物の表面に均質で強固なリン酸チタニウム系化合物の被膜を形成することができ、抗菌作用や消臭作用等を長期間持続させることができる。室内が乾燥した状態でリン酸チタニウム液を噴霧した場合は、対象物の表面も乾いているため、対象物に付着したリン酸チタニウム液の乾燥が速くリン酸チタニウム系化合物が拡散し難く室内の対象物に均一な厚さの被膜を形成することが困難になるとともに、液斑が発生し易くなるため多量のリン酸チタニウム液が必要になり、また対象物の素材が吸水性素材か撥水性素材かによってリン酸チタニウム液の対象物への浸透深さが異なり、被膜の厚さや均質性が素材毎に異なるため、素材によっては被膜が剥離し易くなったり、被膜が薄くなり抗菌作用や消臭作用が乏しくなったりするからである。
（２）室内の対象物の表面を高湿の雰囲気に整えた後、室内にリン酸チタニウム液を噴霧するので、霧状のリン酸チタニウム液が対象物の表面に定着し易くなるため、少量のリン酸チタニウム液で大きな抗菌消臭効果が得られるとともに、少量のリン酸チタニウム液で済むためリン酸チタニウム液を無駄なく使用することができ省資源性に優れる。
【００１９】
ここで、室内に噴霧する水としては、水道水，精製水，イオン交換水，蒸留水，電解水等が用いられる。雑菌が少ないからである。特に、精製水，イオン交換水，蒸留水，電解水等が好適に用いられる。噴霧器のノズルに水中のカルシウム等が析出して目詰まりするのを防止するためである。
また、香料，防腐剤等を溶解させた水を用いることもできる。香料によって室内に芳香を放ち快適性を高めることができ、防腐剤によって保存性を高めることができる。
また、界面活性剤を溶解させることにより、対象物への濡れ性を高めることができ、噴霧されるリン酸チタニウム系化合物の拡散を促進させることができる。界面活性剤としては、陽イオン界面活性剤、両性界面活性剤、非イオン界面活性剤等の種々のものが用いられる。界面活性剤の配合割合としては、全量に対し０．０１〜０．０５体積％が好適である。配合割合が０．０１体積％より少なくなるにつれ、水の表面張力が低下し難く濡れ性の向上効果が乏しくなる傾向がみられ、０．０５体積％より多くなるにつれ凝集し易くなる傾向がみられるため、いずれも好ましくない。
【００２０】
室内加湿工程における噴霧時間としては、自動車の室内の場合、５〜１０分間程度である。工場等のように広い室内を抗菌消臭処理する場合は、室内の広さに応じて、液粒子の飛行距離を考慮して室内に配置する噴霧器の台数や、噴霧時間を適宜選択することができる。
なお、室内加湿工程において、窓等は閉めて室内を密閉した状態で行うのが好ましい。作業の間、室内を高湿度に保つためである。また、空調装置は停止した状態で行うのが好ましい。室内に気流が発生するのを防止して、水を室内に均一に噴霧するためである。
【００２１】
本発明の請求項４に記載の発明は、請求項１乃至３の内いずれか１に記載の室内の抗菌消臭方法であって、前記室内加湿工程で加湿された、又は、前記薬液噴霧工程で前記薬液が噴霧された前記室内の相対湿度が６５〜９５％好ましくは７０〜９０％である構成を有している。
この構成により、請求項１乃至３の内いずれか１で得られる作用に加え、以下のような作用が得られる。
（１）室内の相対湿度が６５〜９５％なので、季節や天候、対象物の素材等に影響を受けず、水に可溶なリン酸チタニウム系化合物を対象物に確実に付着させることができ、対象物の表面に均質で強固なリン酸チタニウム系化合物の被膜を形成することができる。
【００２２】
ここで、室内の相対湿度が７０％より低くなるにつれ、対象物の素材等によってはリン酸チタニウム系化合物が付着し難くなり均質で強固な被膜を形成するのが困難になる傾向がみられ、９０％より高くなるにつれ室内の湿度が高く乾燥時間が長くなったり、対象物の種類にもよるが、湿って変質するものが発生する等の不具合が生じ易くなる傾向がみられる。特に、６５％より低くなるか９５％より高くなると、これらの傾向が著しくなるため、いずれも好ましくない。
【００２３】
本発明の請求項５に記載の発明は、請求項１乃至４の内いずれか１に記載の室内の抗菌消臭方法であって、前記室内加湿工程で噴霧される前記水及び／又は前記希釈剤に、アルコール類及び／又はカテキン類が溶解された構成を有している。
この構成により、請求項１乃至４の内いずれか１で得られる作用に加え、以下のような作用が得られる。
（１）室内加湿工程で噴霧される水や希釈剤にアルコール類やカテキン類が溶解されているので、アルコール類やカテキン類の抗菌作用によって、カビや微生物の増殖や生存を阻害させることができ抗菌性を高めることができる。
【００２４】
ここで、アルコール類としては、炭素数が２〜４のエタノール，イソプロピルアルコール等を用いることができる。アルコール類は、５〜３０体積％の割合で水や希釈剤と混合されるのが好ましい。５体積％より薄くなるにつれ抗菌作用が低下する傾向がみられ、３０体積％より濃くなるにつれ揮発し易く室内の湿度が高くなり難くなる傾向がみられるからである。
特に、気化器を用いて蒸気化し噴霧する場合は、アルコール類が混合されることで水や希釈剤が気化され易くなり、微細な液粒子を均一に噴霧することができるため好ましい。
カテキン類としては、木材，樹皮，葉等の植物体の抽出液が用いられ、特に茶葉からの抽出液が好適に用いられる。抗菌性に優れるからである。カテキン類は、０．１〜１体積％の割合で水や希釈剤と混合されるのが好ましい。０．１体積％より薄くなるにつれ抗菌作用が低下する傾向がみられ、１体積％より濃くしても抗菌作用が高まる傾向はみられずランニングコストが増加するからである。
【００２５】
本発明の請求項６に記載の発明は、請求項１乃至５の内いずれか１に記載の室内の抗菌消臭方法であって、前記室内に設置された空調装置の吹出口及び／又は吸込口に、前記室内加湿工程又は前記薬液噴霧工程の以前に、殺菌剤を導入して殺菌処理する空調装置内殺菌処理工程と、前記薬液噴霧工程の後に前記薬液が噴霧された前記室内を前記空調装置を稼働させて乾燥させる乾燥処理工程と、を備えた構成を有している。
この構成により、請求項１乃至５の内いずれか１で得られる作用に加え、以下のような作用が得られる。
（１）空調装置に殺菌剤を導入して殺菌処理した後、薬液が噴霧された室内を空調装置を稼働させて乾燥させるので、室内を短時間で乾燥し、対象物の表面にリン酸チタニウム系化合物の被膜を短時間で形成できるので抗菌消臭処理の生産性に優れる。
（２）空調装置内殺菌処理工程において空調装置を殺菌した後、薬液噴霧工程においてリン酸チタニウム液を室内に噴霧し、次いで空調装置を稼働させるので、室内に残留し浮遊している霧状のリン酸チタニウム液が空調装置内に吸込まれるので、リン酸チタニウム系化合物の被膜を空調装置の表面及び内部に形成することができる。
（３）空調装置内を予め殺菌処理しておくので、乾燥処理工程において空調装置から室内に噴出す気流内にカビや微生物の生菌や臭気がほとんど存在せず、リン酸チタニウム液が噴霧された室内を清浄な臭気が低減された気流で乾燥させることができる。
【００２６】
ここで、殺菌剤としては、エタノール，イソプロプルアルコール等のアルコール類、塩素，次亜塩素酸，二酸化塩素，二酸化塩素水溶液等のハロゲン類、過酸化水素，オゾン，オゾンを溶解させたオゾン水，エチレンオキシド，プロピレンオキシド等の酸素類等が用いられる。なかでも、オゾン、二酸化塩素水溶液が好適に用いられる。取扱が比較的容易であるとともに酸化力が強く殺菌能力が高く、さらに硫化水素，メチルメルカプタン等の臭気成分の分解力が高いからである。
【００２７】
空調装置内殺菌処理工程において空調装置は、内気循環かつ暖房運転の状態に設定するが好ましい。内気循環によって殺菌剤を空調装置の内部の奥深くまで導入して抗菌処理効果を高めるとともに、空調装置内の温度が高くなるにつれ殺菌剤の分解力が増す傾向がみられるからである。
【００２８】
乾燥処理工程は、薬液噴霧工程の直後に行うのではなく、薬液噴霧工程を終えてしばらくの間（１０〜２０分程度）静置した後に行う。空気中に浮遊した霧状のリン酸チタニウム液が対象物に定着するのを待つためである。
乾燥処理工程において空調装置は、内気循環かつ暖房運転の状態に設定するが好ましい。リン酸チタニウム液を短時間で乾燥させるとともに、室内の温度が高くなるにつれリン酸チタニウム系化合物の被膜の付着力が増す傾向がみられるからである。
【００２９】
本発明の請求項７に記載の薬液は、リン酸チタニウム系化合物又はその縮合体と、カテキン類と、を含有した構成を有している。
この構成によって、以下のような作用が得られる。
（１）リン酸チタニウム系化合物やその縮合体を含有しているので、人体に影響を及ぼさずに室内の生活空間に存在する浮遊菌や有害菌を軽減するとともに臭気を分解し、さらにカビや雑菌の発生を長期間防ぐことができ、アトピー，アレルギー，花粉症，喘息の予防、ペット臭やタバコ臭の消臭、湿気や結露によるカビの軽減、医療施設や教育施設等における感染予防、タバコのヤニの付着防止等の効果を長期間持続することができ適用範囲が広く汎用性に優れる。
（２）カテキン類を含有しているので、カテキン類の即効性の抗菌作用によって、カビや微生物の増殖や生存を阻害させることができ抗菌性を高めることができる。
【００３０】
ここで、リン酸チタニウム系化合物又はその縮合体としては、請求項１で説明したので、説明を省略する。
カテキン類としては、木材，樹皮，葉等の植物体の抽出液が用いられ、特に茶葉からの抽出液が好適に用いられる。抗菌性に優れるからである。カテキン類は、０．１〜１体積％の割合で薬液に含有されるのが好ましい。０．１体積％より薄くなるにつれ抗菌作用が低下する傾向がみられ、１体積％より濃くしても抗菌作用が高まる傾向はみられずランニングコストが増加するからである。
【００３１】
薬液は、リン酸チタニウム系化合物又はその縮合体、カテキン類を水、アルコール、水とアルコールの混合溶液に溶解又は分散させたものが用いられる。例えば、請求項１で説明したリン酸チタニウム液にカテキン類を溶解させたもの等を用いることができる。さらに、香料，防腐剤，界面活性剤等を混合することもできる。香料によって室内に芳香を放ち快適性を高めることができ、防腐剤によって保存性を高めることができ、界面活性剤によってカテキン類の乳化性を高めるとともに対象物への濡れ性を高めることができるため好ましい。
【００３２】
本発明の請求項８に記載の発明は、請求項７に記載の薬液であって、二酸化塩素を含有した構成を有している。
この構成により、請求項７で得られる作用に加え、以下のような作用が得られる。
（１）薬液中の二酸化塩素は、ハロゲン化合物をつくることがほとんどなく毒性がほとんどないため取扱が比較的容易であるとともに保存性に優れ、また酸化力が強く殺菌能力が高く、さらに硫化水素，メチルメルカプタン等の臭気成分の分解力が高く優れた消臭作用が得られる。
【００３３】
ここで、薬液中の二酸化塩素の濃度は、１０〜１００ｐｐｍが好適である。濃度が１０ｐｐｍより低くなるにつれ殺菌・消臭作用が乏しくなる傾向がみられ、１００ｐｐｍより高くなるにつれ、個人差があるが不快臭を感じる傾向がみられるため、いずれも好ましくない。
【発明の効果】
【００３４】
以上のように、本発明の室内の抗菌消臭方法及び薬剤によれば、以下のような有利な効果が得られる。
請求項１に記載の発明によれば、
（１）霧状のリン酸チタニウム液が室内の隅々まで行き渡り、短時間で室内の壁，天井，床，畳，じゅうたん，窓，家具等の全ての対象物に被膜を形成することができ作業性に優れた室内の抗菌消臭方法を提供することができる。
（２）リン酸チタニウム系化合物やその縮合体は、人体に影響を及ぼさずに生活環境に存在する大腸菌，ブドウ球菌，サルモネラ菌等の有害菌を分解することができるので、台所，食堂，食品工場等の抗菌や消臭も行うことができ適用範囲が広く汎用性に優れた室内の抗菌消臭方法を提供することができる。
（３）薬液に希釈剤が混合されているので、リン酸チタニウム液の塗布量が少なくても薬液を増量して、水に可溶なリン酸チタニウム系化合物を対象物に確実に付着させることができ、対象物の表面に均質で強固なリン酸チタニウム系化合物の被膜を形成することができ、抗菌作用と消臭作用を長期間持続させることができる。これにより、居住空間、保管施設や保管設備、宿泊施設、浴場施設、事業所、医療施設や福祉施設、教育施設、飲食施設、電車，バス，自動車等の室内の浮遊菌や有害菌を軽減するとともに臭気を分解し、さらにカビや雑菌の発生を長期間防ぐことができ、アトピー，アレルギー，花粉症，喘息の予防、ペット臭やタバコ臭の消臭、湿気や結露によるカビの軽減、医療施設や教育施設等における感染予防、タバコのヤニの付着防止等の効果を長期間持続することができる室内の抗菌消臭方法を提供することができる。
【００３５】
請求項２に記載の発明によれば、請求項１の効果に加え、
（１）リン酸チタニウム液と希釈剤とが各々噴霧され室内で混合されるので、リン酸チタニウム液の固形物が析出し難く噴霧器のノズルが詰まることなく微細な液粒子を噴霧でき作業性に優れた室内の抗菌消臭方法を提供することができる。
【００３６】
請求項３に記載の発明によれば、請求項１又は２の効果に加え、
（１）季節や天候、対象物の素材等に影響を受けず、リン酸チタニウム液の塗布量が少なくても、水に可溶なリン酸チタニウム系化合物を対象物に確実に付着させることができ、対象物の表面に均質で強固なリン酸チタニウム系化合物の被膜を形成することができ、抗菌作用と消臭作用を長期間持続させることができる。
（２）霧状のリン酸チタニウム液が対象物の表面に定着し易くなるため、少量のリン酸チタニウム液で大きな抗菌消臭効果を得ることができるとともに、少量のリン酸チタニウム液で済むためリン酸チタニウム液を無駄なく使用することができ省資源性に優れた室内の抗菌消臭方法を提供することができる。
【００３７】
請求項４に記載の発明によれば、請求項１乃至３の内いずれか１の効果に加え、
（１）季節や天候、対象物の素材等に影響を受けず、水に可溶なリン酸チタニウム系化合物を対象物に確実に付着させることができ、対象物の表面に均質で強固なリン酸チタニウム系化合物の被膜を形成することができる安定性に優れた室内の抗菌消臭方法を提供することができる。
【００３８】
請求項５に記載の発明によれば、請求項１乃至４の内いずれか１の効果に加え、
（１）アルコール類やカテキン類の抗菌作用によって、カビや微生物の増殖や生存を阻害させることができ抗菌性を高めることができる室内の抗菌消臭方法を提供することができる。
【００３９】
請求項６に記載の発明によれば、請求項１乃至５の内いずれか１の効果に加え、
（１）室内を短時間で乾燥し、対象物の表面にリン酸チタニウム系化合物の被膜を短時間で形成できるので抗菌消臭処理の生産性に優れた室内の抗菌消臭方法を提供することができる。
（２）空気中に残留する霧状のリン酸チタニウム液が空調装置内に吸込まれるので、リン酸チタニウム系化合物の被膜を空調装置の表面及び内部に形成することができる室内の抗菌消臭方法を提供することができる。
（３）空調装置内を予め殺菌処理しておくので、乾燥処理工程において空調装置から室内に噴出す気流内にカビや微生物の生菌や臭気がほとんど存在せず、リン酸チタニウム液が噴霧された室内を清浄な臭気が低減された気流で乾燥させることができ清浄性に優れた室内の抗菌消臭方法を提供することができる。
【００４０】
請求項７に記載の発明によれば、
（１）人体に影響を及ぼさずに室内の浮遊菌や有害菌を軽減するとともに臭気を分解し、さらにカビや雑菌の発生を長期間防ぐことができ、アトピー，アレルギー，花粉症，喘息の予防、ペット臭やタバコ臭の消臭、湿気や結露によるカビの軽減、医療施設や教育施設等における感染予防、タバコのヤニの付着防止等の効果を長期間持続することができ適用範囲が広く汎用性に優れた室内の抗菌消臭方法に適した薬液を提供することができる。
（２）カテキン類の即効性の抗菌作用によって、カビや微生物の増殖や生存を阻害させることができ抗菌性に優れた薬液を提供することができる。
【００４１】
請求項８に記載の発明によれば、請求項７の効果に加え、
（１）取扱が比較的容易であるとともに保存性に優れ、また酸化力が強く殺菌能力が高く、さらに硫化水素，メチルメルカプタン等の臭気成分の分解力が高く消臭能力に優れた薬液を提供することができる。
【実施例】
【００４２】
以下、本発明を実施例により具体的に説明する。なお、本発明はこれらの実施例に限定されるものではない。
（実施例１）
新築マンションの一室の洋間（８畳）の全窓及び全ドアを閉め密閉した後、空調装置を停止させた状態で、電動噴霧器を用いて室内に１６０ｍＬの精製水を８分間噴霧した（室内加湿工程）。精製水を噴霧する前の室内の温度は２０℃、相対湿度は６３％であり、精製水を噴霧した後の室内の温度は２２℃、相対湿度は８３％であった。次いで直ちに、リン酸チタニウム系化合物を有効成分とするリン酸チタニウム液（商品名：エコキメラ（登録商標）ＳＷ−５０）１６０ｍＬを、気化器を備えた２流体噴霧方式の電動噴霧器を用いて、１６０ｍＬの精製水（希釈剤）とともに１６分間噴霧した（薬液噴霧工程）。薬液噴霧工程の後、室内を乾燥させた。
【００４３】
（実施例２）
実施例１と同じ新築マンションの別の一室の洋間（８畳）の全窓及び全ドアを閉め密閉した後、空調装置を停止させた状態で、室内を加湿せずに、リン酸チタニウム系化合物を有効成分とするリン酸チタニウム液（商品名：エコキメラ（登録商標）ＳＷ−５０）１６０ｍＬを、気化器を備えた２流体噴霧方式の電動噴霧器を用いて、１６０ｍＬの精製水（希釈剤）とともに１６分間噴霧した（薬液噴霧工程）。薬液の噴霧後、室内を乾燥させた。なお、噴霧前の室内の温度は２０℃、相対湿度は５９％であり、噴霧後の室内の温度は２０度、相対湿度は８３％であった。
【００４４】
（室内のホルムアルデヒド濃度の測定）
リン酸チタニウム液の噴霧前、噴霧の２４時間後に、実施例１、実施例２及び比較例１の室内の空気中のホルムアルデヒド濃度を測定した。測定は、噴霧前及び噴霧の２４時間後に、全窓及び全ドアを開放して３０分間換気を行った後、完全に密閉して５時間経過した後に行った。なお、実施例１と同じ新築マンションの別の一室の洋間（８畳）に、リン酸チタニウム系化合物を有効成分とするリン酸チタニウム液（商品名：エコキメラ（登録商標）ＳＷ−５０）を噴霧しない場合を比較例１とした。
ホルムアルデヒド濃度の測定結果を（表１）に示す。
【００４５】
【表１】
2006149900.tif 000002
【００４６】
（表１）に示すように、実施例１及び実施例２は、比較例１と比較して、室内のホルムアルデヒド濃度が低いことがわかった。特に、薬液を噴霧する前に予め室内を加湿した実施例１は、実施例２よりもホルムアルデヒド濃度が低いことがわかった。以上のように本実施例によれば、わずか１６０ｍＬの少量のリン酸チタニウム液でも、室内の対象物の表面に均質で強固なリン酸チタニウム系化合物の被膜を形成することができ、シックハウス症候群の原因物質とされるホルムアルデヒドを分解し、空気中の濃度を大幅に低減できることが明らかになった。
なお、リン酸チタニウム液と精製水（希釈剤）とを予め混合した薬液を用い、この薬液を１液式の噴霧器を用いて噴霧した以外は実施例２と同様に噴霧処理を行った場合の抗菌消臭効果についても調べてみたが、実施例２と同様の結果であった。但し、噴霧器のノズルが詰まり易く作業性がやや低下することがわかった。
また、リン酸チタニウム液と精製水（希釈剤）とを混合したものにカテキンを０．５体積％溶解した薬液を用いた以外は、実施例２と同様に噴霧処理を行った場合の抗菌消臭効果も実施例２と同様の結果であった。但し、薬液を噴霧した直後の消臭性は、実施例２の場合よりも優れていた。カテキンが配合されたことによるものだと思われた。
【００４７】
（実施例３）
新築マンションの一室の浴室（約６畳）の全窓及び全ドアを閉め密閉した後、空調装置を停止させた状態で、電動噴霧器を用いて室内に１２０ｍＬの精製水を６分間噴霧した（室内加湿工程）。精製水を噴霧する前の室内の温度は１８℃、相対湿度は５６％であり、精製水を噴霧した後の室内の温度は２０℃、相対湿度は８０％であった。次いで直ちに、リン酸チタニウム系化合物を有効成分とするリン酸チタニウム液（商品名：エコキメラ（登録商標）ＳＷ−５０）１２０ｍＬを、気化器を備えた２流体噴霧方式の電動噴霧器を用いて、１２０ｍＬの精製水（希釈剤）とともに１２分間噴霧した（薬液噴霧工程）。薬液噴霧工程の後、室内を乾燥させた。
【００４８】
（実施例４）
実施例３と同じ新築マンションの別の一室の浴室（約６畳）の全窓及び全ドアを閉め密閉した後、空調装置を停止させた状態で、室内を加湿せずに、リン酸チタニウム系化合物を有効成分とするリン酸チタニウム液（商品名：エコキメラ（登録商標）ＳＷ−５０）１２０ｍＬを、気化器を備えた２流体噴霧方式の電動噴霧器を用いて、１２０ｍＬの精製水（希釈剤）とともに１０分間噴霧した。薬液の噴霧後、室内を乾燥させた。なお、噴霧前の室内の温度は１８℃、相対湿度は５６％であり、噴霧後の室内の温度は１８℃、相対湿度は８０％であった。
【００４９】
（防カビ性の評価）
実施例３と実施例４の処理を行った浴室を噴霧後４８時間養生した後、３ヶ月間毎晩入浴して浴室を使用した。入浴後、浴室の掃除は行わないようにした。また、リン酸チタニウム液を噴霧しなかった浴室も別に用意し、同様に浴室を使用し入浴した。これを比較例２とした。
その結果、比較例２の処理を行った浴室の壁面、天井、床には約１ヶ月後にカビが発生したのに対し、実施例３の処理を行った浴室には３ヶ月後もカビは一切発生しなかった。実施例４の処理を行った浴室は、壁面及び天井にわずかにカビが発生した。
以上のように本実施例によれば、少量のリン酸チタニウム液を噴霧するだけで、室内に均質で強固なリン酸チタニウム系化合物の被膜を形成することができ、室内のカビや雑菌の発生を長期間防ぐことができることが明らかになった。
【００５０】
（実施例５）
日陰に停めた室温２５℃、相対湿度５０％の普通乗用車の室内の抗菌消臭処理を行った。初めに、エアコンディショナー（空調装置）を内気循環、暖房運転、風量を最大、温度を最高に設定した。次に、噴霧器を使って、殺菌剤として二酸化塩素水溶液を空調装置の吸込口から５０ｍＬ噴霧した（空調装置内殺菌処理工程）。殺菌剤の噴霧後、空調装置を停止させた。
次に、運転席に電動噴霧器を置き、全ドア及び全窓を閉めた状態で、後部座席方向に向けて精製水とエタノールの混合溶液６０ｍＬを６分間噴霧した（室内加湿工程）。このときの室内の相対湿度は８３％であった。
次いで直ちに、リン酸チタニウム系化合物を有効成分とするリン酸チタニウム液（商品名：エコキメラ（登録商標）ＳＷ−５０）６０ｍＬを、気化器を備えた２流体噴霧方式の電動噴霧器を用いて、精製水とエタノールの混合溶液（希釈剤）６０ｍＬとともに１２分間噴霧した（薬液噴霧工程）。噴霧終了後、１０分間そのままの状態で放置し、リン酸チタニウム液を定着させた。
噴霧終了から１０分間経過した後、内気循環、暖房運転、風量を最大、温度を最高に設定した空調装置を稼働させ、室内を５分間乾燥させた（乾燥処理工程）。
この結果、室内に漂っていたペット臭、タバコ臭が一切なくなり、空調装置から発生していた独特のカビ臭のような臭気も消えた。その後、タバコを吸いながら通常通り運転したが、１ヶ月経過後も室内からタバコ臭がすることはなかった。また、タバコのヤニが壁面等に付着することもなかった。
【００５１】
（実施例６）
リン酸チタニウム液を噴霧する前に室内加湿工程を行わなかった以外は、実施例５と同様にして、普通自動車の室内の抗菌消臭処理を行ったものを実施例６とした。実施例６の場合も、薬液噴霧後の室内の相対湿度は８３％であった。
処理の直後は、室内に漂っていたペット臭、タバコ臭が一切なくなり、空調装置から発生していた独特のカビ臭のような臭気も消えた。タバコを吸いながら通常通り運転していたところ、約２０日間経過した後にはタバコ臭が気になりだしたが、それまでの間タバコ臭は感じられなかった。
以上のように本実施例によれば、少量のリン酸チタニウム液を噴霧するだけで、室内の対象物の表面に均質で強固なリン酸チタニウム系化合物の被膜を形成することができ、室内のタバコ臭やペット臭等の悪臭を分解し、長期間この効果を持続できることが明らかになった。
【産業上の利用可能性】
【００５２】
本発明は、抗菌作用や消臭作用を有するリン酸チタニウム系化合物を用いた室内の抗菌消臭方法及び薬液に関し、季節や天候、対象物の素材等に影響を受けず、少量のリン酸チタニウム液を噴霧するだけで、室内の対象物の表面に均質で強固なリン酸チタニウム系化合物の被膜を形成することができ、室内の浮遊菌や有害菌を軽減するとともに臭気を分解し、さらにカビや雑菌の発生を長期間防ぐことができ、アトピー，アレルギー，花粉症，喘息の予防、ペット臭やタバコ臭の消臭、湿気や結露によるカビの軽減、医療施設や教育施設等における感染予防、タバコのヤニの付着防止等の効果を長期間持続することができ、さらに短時間で室内の全てに被膜を形成することができ作業性に優れる室内の抗菌消臭方法を提供でき、また、人体に影響を及ぼさずに室内の浮遊菌や有害菌を軽減するとともに臭気を分解し、さらにカビや雑菌の発生を長期間防ぐことができ、アトピー，アレルギー，花粉症，喘息の予防、ペット臭やタバコ臭の消臭、湿気や結露によるカビの軽減、医療施設や教育施設等における感染予防、タバコのヤニの付着防止等の効果を長期間持続することができ適用範囲が広く汎用性に優れた室内の抗菌消臭方法に適した薬液を提供できる。